(57)【要約】【課題】粗飼料用植物を劣化させることなく容易に乾燥させる方法と、この方法で粗飼料用植物を乾燥させて高品質の家畜用粗飼料を製造する方法を提供する。【解決手段】テント倉庫内に粗飼料用植物を保管して該粗飼料用植物を乾燥させるに当たり、テント倉庫の少なくとも屋根部は、透湿度が５００ｇ／ｍ２・２４ｈｒ以上の透湿防水シートで構成されたものとする粗飼料用植物の乾燥方法。この透湿防水シートは、透気度５０００秒／１００ｃｍ３以下であることが好ましく、粗飼料用植物は、ベールの状態で保管されることが好ましい。この方法で粗飼料用植物を乾燥させて家畜用粗飼料を製造する方法。【選択図】図１
2015000051.tif 000002
【特許請求の範囲】
【請求項１】
テント倉庫内に粗飼料用植物を保管して該粗飼料用植物を乾燥させる方法であって、前記テント倉庫の少なくとも屋根部は、透湿度が５００ｇ／ｍ２・２４ｈｒ以上の透湿防水シートで構成されることを特徴とする粗飼料用植物の乾燥方法。
【請求項２】
前記透湿防水シートは、透気度が５０００秒／１００ｃｍ３以下であることを特徴とする請求項１に記載の粗飼料用植物の乾燥方法。
【請求項３】
前記粗飼料用植物は、ベールの状態で保管されることを特徴とする請求項１または２に記載の粗飼料用植物の乾燥方法。
【請求項４】
前記粗飼料用植物は、地表面との間に、空間を有した状態で保管されることを特徴とする請求項１ないし３のいずれかに記載の粗飼料用植物の乾燥方法。
【請求項５】
請求項１ないし４のいずれか一項に記載の粗飼料用植物の乾燥方法で粗飼料用植物を乾燥させる工程を有する家畜用粗飼料の製造方法。
【発明の詳細な説明】
【技術分野】
【０００１】
本発明は粗飼料用植物を乾燥する方法に関するものである。本発明はまた、この粗飼料用植物の乾燥方法により粗飼料用植物を乾燥することにより家畜用の粗飼料を製造する方法に関するものである。
【背景技術】
【０００２】
家畜に給与する粗飼料として、現在、例えば稲ワラなどは年間約１００万トン消費されており、その約３割は、収穫直後の稲ワラをサイロ貯蔵するか、或いは、稲ワラベールを耐水性ポリエチレン樹脂製フィルムなどの牧草貯蔵用フィルムでラッピング後、発酵させて利用されている。一方、残りの約７割の稲ワラは、肉牛（育成牛、繁殖牛、肥育牛）用粗飼料として利用されている。品質の良い肉を安定的に生産するためには、粗飼料として、含水率が２０％以下に乾燥させた稲ワラが求められている。
【０００３】
家畜に給与する粗飼料用植物の製造にあたり、現在は、乾燥や半乾燥した稲ワラベールなどをポリエチレン樹脂製フィルムによるラッピング処理後、屋外保管する方法や、半乾燥した裸ロールをテント倉庫内などに在庫して乾燥させる方法がとられている。
【０００４】
特許文献１には、土壌浄化（ファイトレメディエーション）用植物などの植物を収穫し、収穫した植物を、ベール成型装置によりベールに成型し、該ベールの全高のうち１／３〜１／５程度の上部のみを、透湿度が１００ｇ／ｍ２・２４ｈｒ以上の透湿防水シートで覆った状態で保存して乾燥させる方法が記載されている。
【先行技術文献】
【特許文献】
【０００５】
【特許文献１】特開２０１０−２４６５３１号公報
【発明の概要】
【発明が解決しようとする課題】
【０００６】
しかしながら、特許文献１に記載されるように、透湿防水シートで保管中の粗飼料用ベールの上部（ベールの高さの１／３〜１／５の上部）のみを覆った場合、シートで被覆されていないベールの露出部が雨や雪により濡れ、ベールの表層部分を中心に乾湿が繰り返され、家畜にとって栄養価値が下がるとともにカビ等が発生し、そのカビの種類によっては下痢症状を呈する等、家畜用の飼料として適さないことが少なからずあった。
【０００７】
また、透湿防水シートで保管中の粗飼料用ベールの上部に、雨や雪などが滞留すると、シートの透湿性能が低下するため、シート内面に発生する結露によりベールの表層部分の乾燥が妨げられ、カビ等が発生し、家畜が中毒症を起こす懸念がある。
【０００８】
一方、半乾燥した裸ロールをテント倉庫内などに在庫して乾燥させる方法では、テント倉庫の内壁面、特に屋根部の内壁面に結露が発生し、その結露水がロールに滴下することによってロール表面の粗飼料用植物が部分的に腐ったり、カビが発生するなどし、家畜用の粗飼料として使用できなくなるといった問題がある。
【０００９】
本発明は、上記従来技術の有する問題点に鑑みてなされたものであって、粗飼料用植物を劣化させることなく容易に乾燥させる方法と、この方法で粗飼料用植物を乾燥して家畜用粗飼料を製造する方法を提供することを目的とする。
【課題を解決するための手段】
【００１０】
本発明者らが鋭意検討した結果、テント倉庫内に粗飼料用植物を保管して乾燥させる際に、テント倉庫の少なくとも屋根部を、透湿度が５００ｇ／ｍ２・２４ｈｒ以上の透湿防水シートで構成することにより、屋根部の内壁面の結露、結露水の滴下を防止することができ、粗飼料用植物を劣化させることなく容易に乾燥させることができることを見出し、本発明を完成するに至った。
即ち、本発明は、以下を要旨とする。
【００１１】
［１］  テント倉庫内に粗飼料用植物を保管して該粗飼料用植物を乾燥させる方法であって、前記テント倉庫の少なくとも屋根部は、透湿度が５００ｇ／ｍ２・２４ｈｒ以上の透湿防水シートで構成されることを特徴とする粗飼料用植物の乾燥方法。
【００１２】
［２］  前記透湿防水シートは、透気度が５０００秒／１００ｃｍ３以下であることを特徴とする［１］に記載の粗飼料用植物の乾燥方法。
【００１３】
［３］  前記粗飼料用植物は、ベールの状態で保管されることを特徴とする［１］または［２］に記載の粗飼料用植物の乾燥方法。
【００１４】
［４］  前記粗飼料用植物は、地表面との間に、空間を有した状態で保管されることを特徴とする［１］ないし［３］のいずれかに記載の粗飼料用植物の乾燥方法。
【００１５】
［５］  ［１］ないし［４］のいずれかに記載の粗飼料用植物の乾燥方法で粗飼料用植物を乾燥させる工程を有する家畜用粗飼料の製造方法。
【発明の効果】
【００１６】
本発明の粗飼料用植物の乾燥方法によれば、粗飼料用植物を部分的に腐らせたり、カビを発生させたりすることなく、植生地において粗飼料用植物を良好な状態で容易に集積、乾燥させて、含水率が２０％以下に乾燥した高品質の粗飼料を得、これを保存することが可能となる。
また、本発明の粗飼料用植物の乾燥方法によれば、粗飼料用植物を良好な状態で乾燥させることができ、乾燥中に粗飼料用植物中のβ−カロテンの含有量を低下させることができる。このような粗飼料を家畜に与えると、例えば肉牛であれば脂肪交雑を増加させることができる。
また、このようにして粗飼料用植物を乾燥させる本発明の家畜用粗飼料の製造方法によれば、高品質の粗飼料を製造することができ、例えば肉牛であれば脂肪交雑の多い霜降り肉の生産に適した粗飼料を提供することができる。
【図面の簡単な説明】
【００１７】
【図１】本発明に係るテント倉庫の実施の形態の一例を示す斜視図である。
【図２】実施例で作製したテント倉庫の斜視図である。
【発明を実施するための形態】
【００１８】
以下に本発明の粗飼料用植物の乾燥方法及び家畜用粗飼料の製造方法の実施の形態を詳細に説明するが、以下に記載する構成要件の説明は、本発明の実施態様の一例（代表例）であり、本発明はこれらの内容に特定はされない。
【００１９】
本発明の粗飼料用植物の乾燥方法は、粗飼料用植物をテント倉庫内に保管して乾燥させる方法であって、テント倉庫の少なくとも屋根部を、透湿度が５００ｇ／ｍ２・２４ｈｒ以上の透湿防水シートで構成することを特徴とする。
本発明において、粗飼料用植物はベールの状態で保管して乾燥させることが好ましく、従って、本発明の粗飼料用植物の乾燥方法は、好ましくは以下の（１）〜（３）の工程を経て実施される。
（１）  植生地で栽培された粗飼料用植物を収穫する工程
（２）  工程（１）で収穫した植物を、ベール成型装置によりベールに成型する工程
（３）  工程（２）で得られたベールをテント倉庫内に保存して乾燥させる工程
本発明の家畜用粗飼料の製造方法は、このような本発明の粗飼料用植物の乾燥方法により粗飼料用植物を乾燥させて家畜用粗飼料を製造する方法である。
【００２０】
粗飼料とは、家畜に給与する飼料の中で、生草、サイレージ、乾草、ワラ類等を指す。反芻家畜にとって粗飼料は反芻胃の機能を維持するために不可欠であり、主要なエネルギー、栄養素補給源となるが、一般に粗飼料の栄養価は濃厚飼料に比べて低く、繊維含量が高いため重量当たりの容積は濃厚飼料よりも大きい。しかし、とうもろこしやソルガムのサイレージや出穂前の牧草の中には濃厚飼料に匹敵する栄養価を持つものもある。逆に、ワラ類のように、繊維含量が高く栄養価の低く、低質粗飼料と称されるものもある。
【００２１】
＜家畜＞
本発明で対象とする家畜、即ち、製造された粗飼料を給与する家畜としては特に制限はなく、牛、馬、豚、羊、ヤギ、猪などの哺乳類系の家畜が挙げられるが、本発明は、特に牛、羊、ヤギ等の反芻家畜の粗飼料の製造に好適であり、とりわけ肉牛用粗飼料製造のための粗飼料用植物の乾燥に適している。
【００２２】
肉牛とは、肉牛生産を主な目的として飼育される牛（肉用牛）のことをいう。肉用牛としては乳用牛（例えば、ホルスタイン種）の雄子牛等も含まれるが、肉専用種であることが好ましい。肉専用種としては、日本固有の肉専用種（和牛）、外国産肉専用種が挙げられるが、本発明で得られる粗飼料は、日本固有の肉専用種における霜降り肉の生産に適していることから、日本固有の肉専用種であることが好ましい。霜降り肉の生産という観点からは、特に、本発明の方法により肉牛向けの粗飼料用植物を乾燥させて得られた和牛用粗飼料は、生後１４ヶ月から３０ヶ月の和牛用粗飼料として特に好適である。
日本固有の肉専用種としては、黒毛和牛（Japanese  Black）、褐毛和種（Japanese  Brown）、無角和種（Japanese  Poll）および日本短角種（Japanese  Shorthorn）の４種が挙げられる。
【００２３】
＜粗飼料用植物の収穫＞
本発明で乾燥させる粗飼料用植物は、家畜用粗飼料となる植物であればよく、特に制限はないが、例えば、稲（飼料用イネ、水稲うるち系、水稲もち系、陸稲うるち系、陸稲もち系、外国稲など）、アワ系植物（白ビエ、ミレットなど）、ヒエ（ケイヌビエ、イヌビエ、タイヌビエなど）、とうもろこし（スノーデント系、パイオニア系など）、牧草（イタリアンライグラス、スーダングラス、チモシー、オーチャードグラスなど）、麦（小麦、大麦、ライ麦、えん麦など）、メヒシバ、イノコログサ、ソルガム（ソルゴーなど）、サトウキビ、などのイネ科植物が挙げられる。
【００２４】
また、キク科（アメリカセンダングサ、コスモス、ヒメジョオン、ハルジオン、ヒメムカシヨモギ、オオアレチノギク、アニノゲン、ヒマワリ、ベニバナ、など）、タデ科（イヌタデ、サナイタデ、オオイヌタデなど）、アブラナ科（カラシナ、スズシロソウなど）、ツユクサ科（ツユクサなど）、アオイ科（オクラ、トロロアオイ、ケナフなど）アカザ科（ホウレンソウ、アカザ、シロザ、飼料用ビート、甜菜など）、シソ科（シソなど）、マメ科（クロタラリア、セスバニアなど）、ハゼリソウ科（ファセリアなど）、ヒユ科（ホソアオゲトウ、アマランサス、など）、ドクダミ科（ドクダミなど）、オオバコ科（オオバコなど）、ナス科（タバコなど）が挙げられる。
【００２５】
これらの中でも、イネ科植物が好ましい。イネ科植物において、適応植生地が水田の場合は、農家が収穫機械を保有し、栽培、収穫技術が確立されている水稲品種がより好ましく、適応植生地が畑地の場合は、水稲品種及び陸稲品種がより好ましい。特に、生長が速くバイオマス量の大きいソルガムやとうもろこしが好ましい。
【００２６】
本技術が適応される植生地としては、一般的には、粗飼料用植物が生育する場所であり、特に制限はないが、通常一般的な農用地、畜産飼料を栽培する農用地である。以下、これらの植生地を「圃場」と称す場合がある。
【００２７】
粗飼料用植物は、根系（地下部）及び地上部を土壌から引き抜いて収穫してもよいし、地上部のみを刈り取ってもよい。
【００２８】
この中でも好ましくは、地上部のみを可能なかぎり地際から刈り取る方法が挙げられるが、具体的には、コンバイン、ホールクロップ収穫機、モアコンディショナ、コンバインベーラ、ディスクモア、コーンハーベスタ、等の機械を用いる方法により収穫することが好ましい。
【００２９】
収穫した粗飼料用植物は、収穫した直後は通常は８０重量％前後の水分を含んでいる。家畜用の粗飼料としては、水分含有量を２０重量％以下まで乾燥することが好ましいことから、テント倉庫内に粗飼料用植物を保管する前に、コンバイン等の収穫機で刈り倒し、圃場に放置して天日乾燥することが好ましい。この場合、その乾燥日数は、天候にもよるが、数日間、例えば半日〜１５日間程度である。例えば、粗飼料用植物をベール化して保管する場合は、ベール成型前にある程度の乾燥を行うことにより、得られるベールの密度が向上し、回収ベール数を減らすことで輸送能力向上が図れ、また、在庫中の腐敗を抑え、ベールの在庫時の保形性を維持し、輸送時のハンドリングのトラブルを防止することができる。
【００３０】
また、収穫時は粗飼料用植物の茎葉部と子実部を分別収穫しても良い。
分別収穫する方法は、通常の手段を用いればよく、具体的には、コンバインなどの機械で分別収穫する方法が挙げられる。分別収穫することにより、穂発芽の防止、鳥や鼠等による被害を防止することができる。
【００３１】
＜ベール成型＞
本発明においては、収穫された粗飼料用植物は、好ましくはベールの状態で保管、乾燥される。
本発明でいうベールとは、ロールベール、又は、直方体状のコンパクトベール又はヘイベールなど、粗飼料用植物を結束した形状のものを含む。
【００３２】
下記にロールベールの成型方法を記載するが、本発明に係るベールはロールベールに限定されず、コンパクトベール又はヘイベール、その他のベールであってもよい。その他のベールも通常の方法で成型することができる。
【００３３】
ロールベールを成型するには、ロールベーラを用いる。ロールベーラは、その機体の前端側に装備されているピックアップ装置により、圃場に刈り倒されている粗飼料用植物をピックアップして、帯状に連続する状態として、機体の後方に装備されているベール成型室に送り、そこで、ロール状に巻き締め圧縮し、所定の径のロールに成型したところで、トワイン又はネットを繰り出して、これの巻き付け締め付けにより梱包し、この梱包を終えたところで、成型したロールベールをロール成型室の開放により機体の後方に放出するものである。
【００３４】
通常、ロールベーラにより行う植物の成型作業は、機体を走行させて圃場面に放置してある粗飼料用植物をピックアップしながら行われることから、成型されたロールベールは、ロールベールの成型・梱包が終えた地点ごとに圃場面に放出されて放置されていく。
【００３５】
本発明に係るベールの大きさには特に制限はないが、通常、ロールベールの場合には、直径０．４〜２．０ｍで高さ０．５〜２．０ｍ程度、直方体状のベールの場合は、一辺が０．５〜５ｍ程度の立方体ないし直方体であることが好ましい。また、そのベール１個当たりの重量は、成型した粗飼料用植物の種類や天日乾燥の有無により差があるが、通常２５ｋｇ〜１．５トンの範囲で、水分含有率１５〜８５重量％（好ましくは１５〜３５重量％）、乾物梱包密度（乾物重量を容積で除した値）は、８０〜２００ｋｇ／ｍ３の範囲である。
【００３６】
＜透湿防水シート＞
以下に、本発明において、粗飼料用植物を保管、乾燥するテント倉庫の少なくとも屋根部を構成する透湿防水シート（以下、「本発明の透湿防水シート」と称す場合がある。）について説明する。
【００３７】
本発明の透湿防水シートは、透湿度が５００ｇ／ｍ２・２４ｈｒ以上のシートである。
本発明の透湿防水シートの透湿度は、特に６００ｇ／ｍ２・２４ｈｒ以上、とりわけ７００ｇ／ｍ２・２４ｈｒ以上であることが好ましい。透湿防水シートの透湿度が低過ぎると、粗飼料用植物を水分の多い状態で長期間置くことにより、テント倉庫内部で結露した水滴が粗飼料用植物上に滴下することによって、粗飼料用植物が腐ったり、子実が含まれている場合には発芽したりする場合もあり、好ましくない。透湿防水シートの透湿度の上限は特に制限はないが、水が気体分子ではなく、液体分子の状態で大量にシートを通過する状態は好ましくない。
なお、本発明において、透湿防水シートの透湿度とは、ＪＩＳＺ０２０８（カップ法）法に基づく、４０℃、９０％ＲＨ時の測定値である。
【００３８】
また、本発明の透湿防水シートは、東洋精機（株）製  Ｂ型ガーレ式デンソメータにて測定された透気度が５０００秒／１００ｃｍ３以下であることが好ましく、４５００秒／１００ｃｍ３以下であることがより好ましく、４０００秒／１００ｃｍ３以下であることが更に好ましい。透湿防水シートの透気度を５０００秒／１００ｃｍ３以下とすることで、テント倉庫内の密閉性が抑制され、粗飼料用植物の水分含有量をより早く低下させることができる。透湿防水シートの透気度の下限値は特に限定することはないが、防水性能を損なわない範囲であれば使用することができる。
【００３９】
また、本発明の透湿防水シートは、ＪＩＳ  Ｐ−８１１３に準拠して測定された、ＭＤ及びＴＤの引張強度の少なくとも一方が９．８Ｎ／１５ｍｍ幅以上であることが好ましい。透湿防水シートのＭＤ及びＴＤの引張強度の少なくとも一方が９．８Ｎ／１５ｍｍ幅以上であることで、テント倉庫の屋根部に使用する被覆材として使用した場合、強度を十分確保でき、破断等の発生を抑制することができる。さらに十分な強度を得るためには、ＪＩＳ  Ｋ−７１２８に準拠して測定された、ＭＤ及びＴＤの引裂強度の少なくとも一方が１．５Ｎ以上であることが好ましい。
ここでＭＤとは機械加工方向（Ｍａｃｈｉｎｅ  Ｄｉｒｅｃｔｉｏｎ）を意味し、ＴＤとは横断方向（Ｔｒａｎｓｖｅｒｓｅ  Ｄｉｒｅｃｔｉｏｎ）を意味する。
【００４０】
また、本発明の透湿防水シートの耐水圧は０．００２ＭＰａ以上であることが好ましい。ここで、耐水圧とはＪＩＳ
Ｌ−１０９２に準拠して測定した値を意味する。耐水圧が０．００２ＭＰａ以上であると、雨水や水滴が透湿防水シートを透過してテント倉庫内に達することがなく、テント倉庫の屋根部に使用する目的が十分達成される。特に好ましい耐水圧は、０．００２〜０．０９８ＭＰａの範囲であり、耐水圧が０．０９８ＭＰａ以下であると、透湿度及び透気度を損なうこともない。
【００４１】
本発明の透湿防水シートには、特段の制限はないが、多孔質布と多孔質ポリオレフィンフィルムとの積層体であってもよい。以下に、この多孔質布と多孔質ポリオレフィンフィルムとの積層体よりなる透湿防水シートについて説明する。
【００４２】
<多孔質布>
本発明に係る多孔質布には、特段の制限はないが、例えばスプリットヤーンから作製された割布、不織布、織布又は網状物などであって、目付が１０〜５００ｇ／ｍ２程度のものが好適である。中でも、不織布や網状物が好ましい。
【００４３】
多孔質布は、通気性、透湿性、柔軟性などを有し、後記する多孔性ポリオレフィンフィルムとの積層一体化のために、このフィルムと接着性を有することが重要である。
【００４４】
多孔質布の原料は、ポリアミド系樹脂、ポリエステル系樹脂、レーヨン、ポリオレフィン系樹脂などが挙げられる。多孔質布の原料には、その耐候性、耐光性、耐久性などを向上させるために、紫外線吸収剤、ヒンダードアミン系光安定剤、着色剤などの各種の樹脂添加剤を配合するのが好ましい。
【００４５】
不織布とは、製織、編組によらず繊維を布状（シート）にしたものをいい、繊維シートの製法別に、乾式法、湿式法、スパンボンド法などに分けられ、これらのうちいずれの方法によって製造されたものでもよい。不織布は、単位面積あたりの重量が１０〜５００ｇ／ｍ２、中でも２０〜３００ｇ／ｍ２の範囲のものを選ぶのが好ましい。
【００４６】
網状物とは、ポリエチレン、ポリプロピレン、エチレン−酢酸ビニールなどのオレフィン系樹脂を縦糸及び／又は横糸として網状に構成した網状多孔質布をいい、該オレフィン系樹脂はその幅が０．１〜１０ｍｍの範囲であることが好ましく、またその厚さは１０〜３００μｍの範囲、さらには１０〜５０μｍの範囲であることが好ましい。
網状物を製造する方法としては、上記オレフィン系樹脂を縦糸又は横糸の一方又は両方もしくは縦糸又は横糸の一部に用いて編織するか、縦糸と横糸とを重ね合せて置き、その交点を熱融着する等の方法を用いることができる。
【００４７】
なお、多孔質布は、防水（撥水）加工されていてもよい。
【００４８】
<多孔質ポリオレフィンフィルム>
多孔質ポリオレフィンフィルムには、特段の制限はないが、（Ａ）ポリオレフィン樹脂と（Ｂ）充填剤とを含む樹脂組成物を原料とするものが挙げられる。この樹脂組成物には光安定剤、紫外線吸収剤、可塑剤やラジカル発生剤を配合してもよい。
【００４９】
多孔質ポリオレフィンフィルムの原料となるポリオレフィン樹脂（Ａ）は、エチレン又はプロピレンのホモポリマー、エチレン又はプロピレンとこれらと共重合し得る他のモノマーとの共重合体であり、具体的には、低密度ポリエチレン、線状低密度ポリエチレン、エチレン−酢酸ビニル共重合体、密度０．９１０ｇ／ｃｍ３以下の超低密度ポリエチレン、ポリプロピレン、エチレン−プロピレン共重合体、エチレン−プロピレン−ジエン共重合体、エチレン−メクアクリル酸エステル共重合体、又はこれらの混合物などが挙げられる。
【００５０】
線状低密度ポリエチレンとは、エチレンと他の共重合可能なα−オレフィンとの共重合物をいう。共重合可能な他のα−オレフィンとしては、プロピレン、１−ブテン、１−ぺンテン、１−ヘキセン、１−オクテン、１−デセン、４−メチル−１−ペンテンなどが挙げられ、これらと共に１，４−へキサジエン、ジシクロペンタジエン、エチリデンノルボルネンなどの非共役ジエンを共重合させることもできる。
これらのポリオレフィン樹脂（Ａ）は、１種を単独で用いてもよく、２種以上を混合して用いてもよい。
【００５１】
ポリオレフィン樹脂（Ａ）に配合する充填剤（Ｂ）は、無機充填剤及び有機充填剤のいずれでもよい。無機充填剤としては、炭酸カルシウム、タルク、クレー、カオリン、シリカ、桂藻土、炭酸マグネシウム、炭酸バリウム、硫酸マグネシウム、硫酸バリウム、硫酸カルシウム、水酸化アルミニウム、酸化亜鉛、水酸化マグネシウム、酸化カルシウム、酸化マグネシウム、酸化チタン、アルミナ、マイカ、アスベスト粉、ガラス粉、シラスバルーン、ゼオライト、桂酸白土などが挙げられる。中でも、炭酸カルシウム、タルク、クレー、シリカ、桂藻土、硫酸バリウムなどが好適である。
有機充填剤としては、木粉、パルプ粉などのセルロース系粉末が挙げられる。
これらの充填剤（Ｂ）は、１種を単独で用いてもよく、２種以上を混合して用いてもよい。
【００５２】
充填剤（Ｂ）の平均粒径としては、３０μｍ以下のものが好ましく、中でも０．７〜５μｍのものが好ましい。粒径が大き過ぎると得られる多孔質ポリオレフィンフィルムの気孔の緻密性が悪くなり、また、粒径が小さ過ぎると樹脂への分散性が悪く、成形性も劣るものとなる。
【００５３】
多孔質ポリオレフィンフィルムの製造方法には、特段の制限はないが、例えば、特開平１０−２０３８８４号公報等に記載の方法を採用することができる。
【００５４】
<積層体>
多孔質ポリオレフィンフィルムと多孔質布とを積層させるには、(i)接着剤を用いる方法、(ii)熱接着による方法、などによることができる。いずれの方法による場合であっても、多孔質ポリオレフィンフィルムと多孔質布とは、それぞれの接着面積が対向する面の５〜６０％の範囲になるように接着するのが好ましい。この接着面積が５％未満であると、得られる積層体は接着部分が少ないため、使用の際に接着した部分が剥離し、接着面積が６０％を超えると、接着面積が広すぎて積層体の通気性、透湿性、柔軟性が低下するので、いずれも好ましくない。
【００５５】
多孔質ポリオレフィンフィルムと多孔質布とを接着させる方法は、特に制限はないが、上記(i)接着剤を用いて接着するには、ホットメルト接着剤、感圧接着剤などを使用する方法が好ましい。この際に使用できるホットメルト接着剤としては、ポリアミド、ポリエステル、ポリオレフィンなどの樹脂、テープ、ウエブなどが挙げられる。上記(ii)熱接着による場合には、多孔質布の表面を加熱し、多孔質布の素材が熱可塑性樹脂の場合にはこれを加熱溶融させながら、多孔質ポリオレフィンフィルムに押圧して接着する方法が挙げられる。いずれの接着法による場合であっても、接着面は、線状、点状、格子状、ランダム状などのいずれかとするのが好ましい。
【００５６】
本発明で用いる透湿防水シートとしての積層体は、製品強度の面からは３層、４層などの多層構造の積層体であることが好ましい。例えば、このような積層体としては、多孔質布／多孔質ポリオレフィンフィルム／多孔質布のような３層積層体や、多孔質布／多孔質ポリオレフィンフィルム／多孔質布／多孔質布のような４層積層体が挙げられる。
【００５７】
以上のような本発明に好適な物性を示す透湿防水シートとして好ましいものとしては、具体的には、三菱樹脂（株）製の「エクセポール（登録商標）ＤＣＳ３」、「エクセポール（登録商標）ＤＣＳ４」、ＤｕＰｏｎｔ社製の「タイベックソフトタイプ・ハードタイプ」、「タイベック４００ＷＰ」、「タイベック７００ＡＧ」、「タイベック７６０ＡＧ」、「タイベック１０００ＡＧ」などのシートが挙げられ、耐水性がより良好な点から、「エクセポール（登録商標）ＤＣＳ３」又は「エクセポール（登録商標）ＤＣＳ４」が好ましい。
【００５８】
＜テント倉庫＞
次に、本発明において粗飼料用植物を保管、乾燥させるテント倉庫について、説明する。
本発明におけるテント倉庫とは、例えば樹脂シート、木板、鋼板、スレート材、鋼製パイプ等で形成された倉庫を指し、圃場にて組み立て施工されるものや、自宅や建家の近辺等、管理が容易な空き地に組み立て施工されるものも含む。
本発明で用いるテント倉庫は、このようなテント倉庫において、少なくとも屋根部が上述の透湿防水シートで構成される。
【００５９】
テント倉庫の屋根部は、雨水や雪などが滞留しにくい形状であることが好ましい。屋根部に雨水や雪などが滞留しにくい形状とは、特に限定するものではないが、例えば、屋根部の中心に向かって凸状であったり、一方から他方に向かって傾斜を成す形状であってもよい。
屋根部への雨や雪などの滞留物を抑制することで、透湿防水シートの透湿性能の低下を抑制することができ、更には、透湿防水シート上に雨や雪などが滞留した部分のテント倉庫内側に結露が発生することをより一層確実に抑制することができる。
本発明では、上述の本発明の透湿防水シートを用いて、テント倉庫の少なくとも屋根部を形成する。テント倉庫の屋根部以外の側壁部については、必ずしも本発明の透湿防水シートを用いる必要はなく、一般的なビニールハウス用の農業用ビニールシートなどを用いることができる。ただし、保管する粗飼料用植物の種類や保管量によって、適宜必要であればテント倉庫の側壁部にも本発明の透湿防水シートを使用してもよい。
【００６０】
図１は、本発明に係るテント倉庫の実施の形態の一例を示す斜視図であり、このテント倉庫１は鋼製パイプ等の支柱による骨組みに対して、屋根部用シート３とサイド面用シート４、妻面用シート５を張ったものである。図１において、屋根部用シート３にはドットを付してある。６は出入口扉を示す。
本発明においては、このようなテント倉庫１の屋根部用シート３として、前述の透湿防水シートを用いる。
なお、サイド面用シート４と妻面用シート５については、本発明の透湿防水シートを用いてもよく、その他のシート、例えば一般の農業用ビニールシートを用いてもよい。
本発明に係るテント倉庫は、何ら図１に示すものに限定されず、その形状等において、既存の各種のビニールハウスの形状を採用し得る。
【００６１】
＜テント倉庫内での粗飼料用植物の保管、乾燥＞
上記のようなテント倉庫内に保管する粗飼料用植物の体積が、テント倉庫の倉庫体積（収容容積）に占める割合（以下、「体積占有率」と称す。）は９０％以下が好ましく、８０％以下がより好ましく、７０％以下が更に好ましい。
粗飼料用植物を９０％以下とすることで粗飼料用植物の水分を効率よく乾燥させることができる。なお、粗飼料用植物の体積占有率の下限については特に制限はない。
【００６２】
また、テント倉庫の側壁面や屋根部面等の内壁面とテント内に保管された粗飼料用植物との間には、間隙が形成されていることが好ましく、この隙間を１０ｃｍ以上とすることが好ましい。そうすることで、粗飼料用植物の乾燥効率が向上し、また粗飼料用植物とテント倉庫内壁面が接触することによる湿気溜まりが抑制され、湿気により粗飼料用植物が腐ったり、カビが発生することをより一層確実に抑制することができる。この間隙の上限には特に制限はない。
【００６３】
なお、複数個のベールを並列配置して集合体としてテント倉庫内に保管する場合、隣接するロールベール間の間隙が大き過ぎると保管に要する面積が増え、大きなテント倉庫が必要となりコストが高くなる。一方、小さ過ぎると乾燥効率が低下して品質不良が起こりやすい。従って、ベール間隙は保管開始当初の状態で５〜３０ｃｍ、特に１０〜２０ｃｍ程度とすることが好ましい。
【００６４】
本発明においては、テント倉庫内で粗飼料用植物を直接地表面上に置いて保管してもよいが、粗飼料用植物が地表面に接しないように粗飼料用植物と地表面との間に空間を形成させて置くことが、乾燥効率の面でより好ましい。
粗飼料用植物を地表面に接しないように置く方法は特に限定されないが、樹脂製もしくは木製のパレットやレール、または孟宗竹などの載置用部材を、地表面上に置き、これらの部材の上に粗飼料用植物を載置して、粗飼料用植物が直接地表面に接しないようにする方法が好ましい。この場合、粗飼料用植物と地表面との間に形成される間隙としては特に制限はないが１０〜２０ｃｍ程度が好ましい。従って、パレットを用いる場合は、高さ１０〜２０ｃｍ程度のパレットを用い、この上に粗飼料用植物、好ましくは粗飼料用植物のベールを載置すればよい。
なお、地表面とは、土壌に限らず、コンクリート、アスファルト等も含まれる。
【００６５】
このようなテント倉庫内での保管による粗飼料用植物の乾燥期間は、保管条件によっても異なり、乾燥後、得られる粗飼料が後述の好適な水分含有率となるような期間であるが、通常２０日以上、好ましくは１ヶ月以上、より好ましくは２ヶ月以上である。この保存乾燥期間が短すぎると、乾燥が十分進まない。保存乾燥期間は長くても特に問題はないが通常一年以下である。
【００６６】
なお、保管乾燥期間中、温度や湿度等の保管条件を制御することも可能であるが、調温や調湿を行うことは、徒にコストを引き上げることとなり、不経済であるので、テント倉庫内の自然乾燥下で保管するのがよい。
【００６７】
このような乾燥工程を経た後の粗飼料の水分含有率（粗飼料重量に占める水分重量の百分率）は、通常５０重量％以下、好ましくは４０重量％以下で、特に３０重量％以下、とりわけ２０重量％以下であることが好ましい。乾燥後の粗飼料の水分含有率が多すぎると、全体重量が大きく、その後の諸作業が困難となり、物流のエネルギ−を多く消費することになる。乾燥後の粗飼料の水分含有率の下限は特に制限はないが１０重量％以下にまで水分含有率を低減するのは、通常、困難である場合が多い。
【００６８】
このようにして乾燥された粗飼料は、家畜用、特に肉牛の粗飼料として好適に用いられる。
【実施例】
【００６９】
以下に、本発明を実施例によって更に具体的に説明するが、本発明はその要旨を超えない限り、以下の実施例の記載に限定されるものではない。
【００７０】
以下の実施例及び比較例では、テント倉庫として、図２に示すように、巾（畝幅）９０ｃｍのトンネル用支柱１１を２本設置し、屋根部用シート１２、２つのサイド面用シート１３と２つの妻面用シート１４で覆って密封状態としたものを用いた。
【００７１】
また、このようなテント倉庫内で保管、乾燥させる粗飼料用植物としては、圃場で半日間天日乾燥した大麦わら（品種：はるしずく）を、タカキタ社製ロールベーラを用いて直径５０ｃｍ、高さ７０ｃｍの円柱形の小型ロールベール（水分含有率３０．０重量％）としたものを用いた。
【００７２】
＜実施例１＞
図２のテント倉庫において、屋根部用シート１２とサイド面用シート１３に、三菱樹脂（株）製透湿防水シート「エクセポール（登録商標）ＤＣＳ４」（透湿度：４６００ｇ／ｍ２・２４ｈｒ、ＭＤ方向引張強度：１９３Ｎ／１５ｍｍ幅、ＴＤ方向引張強度：１６０Ｎ／１５ｍｍ幅、透気度：８００秒／１００ｃｍ３、ＭＤ方向引裂強度：９４Ｎ、耐水圧：０．０４９ＭＰａ）を張り、妻面用シート１４として、シーアイ化成社製農業用ＰＯフィルム「スカイコート５」（透湿度：２．７ｇ／ｍ２・２４ｈｒ以下）を使用し、このテント倉庫内に上記のロールベールを１個設置してテント倉庫内を密封状態とした。ロールベールは、高さ１５ｃｍの樹脂製パレット上に載置してテント倉庫内に設置した。ロールベールとテント倉庫の屋根部の内壁面との間隙は１５ｃｍ、側壁部の内壁面との間隙は２０ｃｍで、テント倉庫に対するロールベールの体積占有率は３０％であった。
この状態でロールベールをテント倉庫内で保管、乾燥させて、後述の結露評価を行った。
試験場所及び試験日は、福岡県大牟田市、２０１３年５月であり、試験日の天候は晴れであった。
【００７３】
＜実施例２＞
屋根部用シートとサイド面用シートの透湿防水シートとして、三菱樹脂（株）製「エクセポール（登録商標）ＤＣＳ３」（透湿度：７１０ｇ／ｍ２・２４ｈｒ、透気度：４０００秒／１００ｃｍ３、ＭＤ方向引張強度：１７１Ｎ／１５ｍｍ幅、ＴＤ方向引張強度：１４３Ｎ／１５ｍｍ幅、ＭＤ方向引裂強度：７６Ｎ、耐水圧：０．０４９ＭＰａ）を用いたこと以外は、実施例１と同様の条件で評価を行った。
【００７４】
＜比較例１＞
屋根部用シート１２、サイド面用シート１３及び妻面用シート１４として、第一ビニール（株）製農業用塩化ビニールシート（厚さ：０．１ｍｍ、透湿度：７ｇ／ｍ・２４ｈ以下）を使用したこと以外は、実施例１と同様の条件で評価を行った。
【００７５】
＜結露評価＞
上記方法でロールベールをテント倉庫内に設置した状態で一日保管した後、テント倉庫内の屋根部と妻面の内壁面に結露が発生しているか否かを目視にて確認し、以下の基準で評価した。
○：結露の発生無し
△：結露の発生有り（滴下しない状態）
×：結露の発生有り（滴下する状態）
評価結果を表−１に示した。
【００７６】
【表１】
2015000051.tif 000003
【００７７】
表−１から、比較例１では結露水がベール上に滴下してしまい、粗飼料用植物を劣化させるおそれがあるが、実施例１、２のテント倉庫の屋根部の内壁面には結露は発生せず、ベールに結露水を滴下させないことから、粗飼料用植物を劣化させることなく良好な状態で乾燥させることができることが分かる。
【符号の説明】
【００７８】
１  テント倉庫
２、１１  支柱
３、１２  屋根部用シート
４、１３  サイド面用シート
５、１４  妻面用シート
【図１】
2015000051.tif 000004
【図２】
2015000051.tif 000005